(57)【特許請求の範囲】
【請求項１】
複数列に配設された複数の可動部材と、これら複数の可動部材の移動方向が平行になるように複数の可動部材を移動させるアクチュエータを有する移動駆動機構とを備えた可動役物装置を装備したパチンコ遊技機であって、
前記移動駆動機構は、
前記複数の可動部材に掛け渡すように装着された可撓性の有る線材と、
前記アクチュエータを有し且つこのアクチュエータにより駆動されて線材の巻取りと繰出しとが可能な巻取機構とを有し、
前記巻取機構により前記線材の巻取り・繰出しを行うことにより、この線材を介して複数の可動部材を互いに相対移動可能に構成され、
前記線材が巻取機構側から複数の可動部材に配列順に掛け渡されたことを特徴とするパチンコ遊技機。
【請求項２】
前記可動役物装置は、第１列の可動部材をベース部材に移動自在にガイドする第１のガイド機構と、隣接する２つの可動部材の一方に他方を移動自在にガイドする１又は複数の第２のガイド機構とを有することを特徴とする請求項１に記載のパチンコ遊技機。
【請求項３】
前記可動役物装置は、ベース部材に対して第１列の可動部材の所定移動範囲外の移動を規制する１対の第１のストッパと、隣接する２つの可動部材の一方に対して他方の所定移動範囲外の移動を規制する１又は複数対の第２のストッパとを有することを特徴とする請求項２に記載のパチンコ遊技機。
【請求項４】
前記移動駆動機構は、最終列の可動部材以外の各可動部材に設けられた上案内部及び下案内部と、第１列の可動部材の下案内部よりも上方位置においてベース部材に設けられた固定案内部と、最終列の１つ前の列の可動部材の上案内部よりも下方位置において最終列の可動部材に設けられた線材固定部とを有し、
前記巻取機構により線材が巻取られる場合に各可動部材に進出方向の動力が作用するように、線材が前記複数の案内部に掛け渡され且つ線材の先端部が前記線材固定部に固定されたことを特徴とする請求項１〜３の何れか１項に記載のパチンコ遊技機。
【請求項５】
前記各案内部が滑車部材からなり、各滑車部材から線材が外れるのを防止する線材外れ防止部材が付設されたことを特徴とする請求項４に記載のパチンコ遊技機。
【発明の詳細な説明】
【技術分野】
【０００１】
本発明はパチンコ遊技機に関し、特に、複数の可動部材に掛け渡すように装着された可撓性の有る線材の巻取り・繰出しを行うことにより、この線材を介して複数の可動部材を互いに相対移動可能に構成した可動役物装置に関する。
【背景技術】
【０００２】
従来、パチンコ遊技機に装備された遊技演出用の可動役物装置は、ベース部材に移動自在に設けられた可動部材と、この可動部材を移動させる電動モータを有する移動駆動機構とを備えている。この可動役物装置の移動駆動機構に、ネジ軸・ナット機構やラック・ピニオン機構を採用したものは公知である。
【０００３】
一方、可動役物装置において、演出部材をワイヤにより吊下げて昇降させるワイヤ昇降機構を備えたもの（特許文献１，２参照）が公知である。特許文献１のワイヤ昇降機構では、演出部材が１本のワイヤで吊下げられ、そのワイヤが巻取プーリに巻付けられている。この巻取プーリが電動モータにより回転駆動されると、ワイヤの巻取り・繰出しが行われ演出部材が画像表示器の前側で昇降される。
【０００４】
特許文献２のワイヤ昇降機構では、演出部材の左右両端部が１対のワイヤで吊下げられ、それら１対のワイヤが１対の案内プーリに案内され、１対の巻取プーリに巻付けられている。１対の巻取プーリは逆方向に同期回転するようにギヤ連結され、一方の巻取プーリに電動モータから駆動力が入力される。１対の巻取プーリが回転駆動されると、１対のワイヤの巻取り・繰出しが行われて演出部材が画像表示器の前側で昇降される。
【０００５】
ところで、可動部材に設けられた電飾機器等を含む演出部材（役物部材）を、通常時は画像表示器による表示の邪魔にならない位置に待機させ、演出の際に画像表示器の前側で移動させる可動役物装置が広く実用化されている。特許文献１，２の可動役物装置も同様に作動する。この可動役物装置では、演出部材が画像表示器の前側で移動することから、更にその際、画像表示器による表示と協働して遊技演出を行うことができるため、演出効果を高めることが可能になる。
【先行技術文献】
【特許文献】
【０００６】
【特許文献１】特開２００９−２７３５３３号公報
【特許文献２】特開２００９−７２３３６号公報
【発明の概要】
【発明が解決しようとする課題】
【０００７】
特許文献１のワイヤ昇降機構では、演出部材が１本のワイヤにより吊下げられ昇降されるため、演出部材の移動量を大きくして、演出部材を円滑に確実に作動させることが難しい。特許文献２のワイヤ昇降機構では、１対のワイヤ、１対の案内プーリ、及び１対の巻取プーリ等を広範囲に亙って配置する必要がある。つまり、ワイヤ昇降機構が全体的に大型になり、このワイヤ昇降機構を設置する広いスペースが必要になる。故に、このワイヤ昇降機構を備えた可動役物装置を遊技盤に配置する上で障害が大きくなる。
【０００８】
一方、従来の可動役物装置において、移動駆動機構にネジ軸・ナット機構又はラック・ピニオン機構等の動力伝達機構を単独で採用したもの、即ち、移動駆動機構により１つの可動部材を（或いは、複数の可動部材を一体的に）移動させるだけのものでは、遊技盤や遊技盤に装備される他の機器等によって受ける可動役物装置の配置制約により、可動部材の移動量を大きくするのに限界がある。つまり、可動部材の移動量を大きくするほど、可動部材等が大型化し、その可動部材を移動させる為に必要な空間が大きくなるため、可動役物装置を配置するうえでの障害が大きくなる。
【０００９】
例えば、演出部材を画像表示器の前側（露出空間）で且つ直線的に移動させる場合、通常時に演出部材を画像表示器による表示の邪魔にならない位置に待機させるようにして、演出部材以外の可動部材や移動駆動機構等を極力露出させないようにできるが、そうして、演出部材の露出空間への突出量（可動部材の移動量）を大きくすることが困難になる。
【００１０】
本発明の目的は、可動部材の移動量を大きくすることができる可動役物装置を搭載したパチンコ遊技機を提供することである。
【課題を解決するための手段】
【００１１】
請求項１の発明（パチンコ遊技機）は、複数列に配設された複数の可動部材(11,12,13)と、これら複数の可動部材(11,12,13)の移動方向が平行になるように複数の可動部材(11,12,13)を移動させるアクチュエータ(71)を有する移動駆動機構(15)とを備えた可動役物装置(5)を装備したパチンコ遊技機(1)であって、前記移動駆動機構(15)は、前記複数の可動部材(11,12,13)に掛け渡すように装着された可撓性の有る線材(65)と、前記アクチュエータ(71)を有し且つこのアクチュエータ(71)により駆動されて線材(65)の巻取りと繰出しとが可能な巻取機構(70)とを有し、前記巻取機構(70)により前記線材(65)の巻取り・繰出しを行うことにより、この線材(65)を介して複数の可動部材(11,12,13)を互いに相対移動可能に構成され、前記線材(65)が巻取機構(70)側から複数の可動部材(11,12,13)に配列順に掛け渡されたことを特徴としている。
【００１３】
請求項２の発明は、請求項１において、前記可動役物装置(5)は、第１列の可動部材(11)をベース部材(10)に移動自在にガイドする第１のガイド機構(35)と、隣接する２つの可動部材(11,12/12,13)の一方(11/12)に他方(12/13)を移動自在にガイドする１又は複数の第２のガイド機構(40/45)とを有することを特徴としている。
【００１４】
請求項３の発明は、請求項２において、前記可動役物装置(5)は、ベース部材(10)に対して第１列の可動部材(11)の所定移動範囲外の移動を規制する１対の第１のストッパ(50,51)と、隣接する２つの可動部材(11,12/12,13)の一方(11/12)に対して他方(12/13)の所定移動範囲外の移動を規制する１又は複数対の第２のストッパ(55,56/60,61)とを有することを特徴としている。
【００１５】
請求項４の発明は、請求項１〜３の何れか１項において、前記移動駆動機構(15)は、最終列の可動部材(13)以外の各可動部材(11/12)に設けられた上案内部(82/84)及び下案内部(81/83)と、第１列の可動部材(11)の下案内部(81)よりも上方位置においてベース部材(10)に設けられた固定案内部(80)と、最終列の１つ前の列の可動部材(12)の上案内部(84)よりも下方位置において最終列の可動部材(13)に設けられた線材固定部(85)とを有し、前記巻取機構(70)により線材(65)が巻取られる場合に各可動部材(11/12/13)に進出方向の動力が作用するように、線材(65)が前記複数の案内部(80,81,82,83,84)に掛け渡され且つ線材(65)の先端部が前記線材固定部(85)に固定されたことを特徴としている。
【００１６】
請求項５の発明は、請求項４において、前記各案内部(80/81/82/83/84)が滑車部材(80/81/82/83/84)からなり、各滑車部材(80/81/82/83/84)から線材(65)が外れるのを防止する線材外れ防止部材(90)が付設されたことを特徴としている。
【発明の効果】
【００１７】
本発明（パチンコ遊技機）によれば、可動役物装置において、複数の可動部材の全体的な移動量を大きくすることができる。
【図面の簡単な説明】
【００１８】
【図１】可動役物装置（演出部材が待機位置）を装備した遊技盤の正面図である。
【図２】可動役物装置（演出部材が突出位置）を装備した遊技盤の正面図である。
【図３】可動役物装置の前側からの斜視図である。
【図４】図３の可動役物装置の後側からの斜視図である。
【図５】図３の可動役物装置の平面図である。
【図６】演出部材を省略した図３相当図である。
【図７】図６の可動役物装置の正面図である。
【図８】図６の可動役物装置の後面図である。
【図９】ブラケットを省略した図８相当図である。
【図１０】可動役物装置の前側からの分解斜視図である。
【図１１】ベース部材等の後側からの分解斜視図である。
【図１２】第１可動部材（第２可動部材）の後側からの分解斜視図である。
【図１３】第３可動部材の後側からの分解斜視図である。
【図１４】可動役物装置（第１〜第３可動部材が退入時）の要部斜視図である。
【図１５】可動役物装置（第３可動部材が進出時）の要部斜視図である。
【図１６】可動役物装置（第２，第３可動部材が進出時）の要部斜視図である。
【図１７】可動役物装置（第１〜第３可動部材が進出時）の要部斜視図である。
【図１８】変更形態１の図１０相当図である。
【図１９】変更形態２の図１０相当図である。
【発明を実施するための形態】
【００１９】
以下、発明の実施の形態について実施例に基づいて説明する。
【実施例】
【００２０】
図１、図２に示すように、パチンコ遊技機１には遊技盤２が設けられ、この遊技盤２とその前側の透明板（図示略）との間に、球発射部（図示略）で発射された遊技球がガイドレール２ｇにより導入される遊技領域２ａが形成されている。遊技盤２には遊技領域２ａに配置された多数の障害釘（図示略）や各種入賞口（始動口２ｂ，２ｃ、ゲート２ｄ、大入賞口２ｅ、一般入賞口２ｆ等）を形成する種々の遊技部品が取付けられている。遊技球が始動口２ｂ，２ｃに入賞した場合、大当り抽選が行われ、その大当り抽選で当選した場合、大当りとなって通常は閉塞の大入賞口２ｅが開放される。
【００２１】
遊技盤２にはセンタ役物３が取付けられ、このセンタ役物３に遊技演出用の画像表示器４及び本案特有の可動役物装置５が装備されている。センタ役物３は遊技盤２に大きく形成されたセンタ開口部（図示略）に嵌合装着されたセンタ枠体３ａを有し、画像表示器４はその画面をパチンコ遊技機１の前側からセンタ枠体３ａの内側を通して視認できるように配置されている。画像表示器４には、始動口２ｂ，２ｃへの遊技球の入賞に基づいて行われる大当抽選を演出するために、複数の演出図柄が変動後停止するように表示されるとともに各種動画が表示され、また、大当り中にも大当り演出用の各種動画が表示される。
【００２２】
可動役物装置５は、センタ役物３の下部に装着され、例えば、大当り抽選に関する報知（例えば、大当り抽選での当選、或いは当選期待度が高い旨の報知）を行うために作動して、演出部材１４（所謂役物部材やギミック）を遊技盤２の盤面と平行方向に直線的に、図１に示す待機位置と図２に示す突出位置とに亙って上下動させる。可動役物装置５の非作動時に、演出部材１４は画像表示器４による表示の邪魔にならない待機位置に位置し、可動役物装置５の作動時に、演出部材１４は画像表示器４の前側で移動する。
【００２３】
可動役物装置５について詳しく説明する。
図３〜図１７に示すように、可動役物装置５は、ベース部材１０と、ベース部材１０に対して上下方向へ移動自在に且つ互いに相対移動自在に設けられた複数（３個）の可動部材１１〜１３（第１，第２，第３可動部材１１，１２，１３）と、第３可動部材１３に取付けられた演出部材１４と、複数の可動部材１１〜１３を上下方向へ移動させる電動モータ７１を有する移動駆動機構１５とを備えている。
【００２４】
ベース部材１０、複数の可動部材１１〜１３、演出部材１４について説明する。
図４〜図１１等に示すように、ベース部材１０は薄板状に形成され、センタ枠体３ａの下部後面側において板面を前後方向に向けて配置されて、センタ役物３に固定されている。ベース部材１０は正面視にて左右方向に長い矩形状に形成され、左部に可動部材１１〜１３の収容部１０ａが前方凸状に形成され、右部に巻取機構７０の取付部１０ｂが形成され、この取付部１０ｂに後面側からブラケット１０ｃが取付けられている。
【００２５】
ベース部材１０は、収容部１０ａに取付けられた鉛直向きの固定レール１６を有する。固定レール１６は、そのレール開口端縁を後側に向けて、下半部が収容板１０ａの右端部後面に固定され、上半部がベース部材１０よりも上方へ突出している。固定レール１６の上端部にはサポート部材１７が固定されている。
【００２６】
図４〜図１０、図１２、図１３等に示すように、複数の可動部材１１〜１３は左右方向に複数列に配設され、これら複数の可動部材１１〜１３の移動方向が上下方向となって平行になるように構成されている。第１可動部材１１が固定レール１６に隣接する第１列の可動部材１１であり、第２可動部材１２が第１可動部材１１に隣接する第２列の可動部材１２であり、第３可動部材１３が第２可動部材１２に隣接する最終列（第３列）の可動部材１３である。
【００２７】
第１可動部材１１は、固定レール１６と同構造の第１可動レール２０と、第１可動レール２０の下部に固定されて右方へ張出す第１連結部材２１と、第１可動レール２０の上端部に固定されたサポート部材２２とを有する。第１可動レール２０が固定レール１６の左方に並設され、第１連結部材２１の右部が固定レール１６の後方近傍に位置している。
【００２８】
第２可動部材１２は、第１可動部材１１と同構造であり、第２可動レール２５と第２連結部材２６とサポート部材２７とを有し、第２可動レール２５が第１可動レール２０の左方に並設され、第２連結部材２６の右部が第１可動レール２０の後方近傍に位置している。第３可動部材１３は、演出取付部３０と、この演出取付部３０の左端部から下方へ延びる鉛直バー部３１と、この鉛直バー部３１の下部に一体形成された第３連結部材３２とを有する。鉛直バー部３１が第２可動レール２５の左方に並設され、第３連結部材３２が第２可動レール２５の後方近傍に位置している。
【００２９】
ここで、図４、図８〜図１７等に示すように、可動役物装置５は、第１可動部材１１をベース部材１０に上下方向へ移動自在にガイドする第１ガイド機構３５と、第２可動部材１２を第１可動部材１１に上下方向へ移動自在にガイドする第２ガイド機構４０と、第３可動部材１３を第２可動部材１２に上下方向へ移動自在にガイドする第３ガイド機構４５とを有する。尚、第１ガイド機構３５が第１のガイド機構に相当し、第２ガイド機構４０と第３ガイド機構４５が第２のガイド機構に相当する。
【００３０】
第１，第２，第３ガイド機構３５，４０，４５は、夫々、前記レール１６，２０，２５と、前記連結部材２１，２６，３２に固定されてレール１６，２０，２５に摺動自在に係合する低摩擦合成樹脂製の係合部材３６，４１，４６とで構成されている。
【００３１】
また、図８〜図１２等に示すように、可動役物装置５は、ベース部材１０に対して第１可動部材１１の所定移動範囲外の移動を規制する上下１対の第１ストッパ５０，５１と、第１可動部材１１に対して第２可動部材１２の所定移動範囲外の移動を規制する上下１対の第２ストッパ５５，５６と、第２可動部材１２に対して第３可動部材１３の所定移動範囲外の移動を規制する上下１対の第３ストッパ６０，６１とを有する。尚、第１ストッパ５０，５１が第１のストッパに相当し、第２ストッパ５５，５６と第３ストッパ６０，６１が第２のストッパに相当する。
【００３２】
下側の第１，第２，第３ストッパ５１，５６，６１は、夫々、前記レール１６，２０，２５の前壁下端部をレール内空間に突出するように後方へ折曲げて突起状に形成されている。第１可動部材１１は、第１ガイド機構３５の係合部材３６が下側の第１ストッパ５１に当接して下方移動が規制され、第１可動レール２０が固定レール１６と同高さになる。
【００３３】
第２可動部材１２は、第２ガイド機構４０の係合部材４１が下側の第２ストッパ５６に当接して第１可動部材１１に対する下方移動が規制され、第２可動レール２５が第１可動レール２０と同高さになる。第３可動部材１３は、第３ガイド機構４５の係合部材４６が下側の第３ストッパ６１に当接して第２可動部材１２に対する下方移動が規制され、第３可動部材１３の鉛直バー部３１が第２可動レール２５と同高さになる。
【００３４】
上側の第１，第２，第３ストッパ５０，５５，６０は、夫々、前記レール１６，２０，２５の上端部に形成されたプーリ取付部１６ａ，２０ａ，２５ａの下端部によって形成されている。第１可動部材１１は、第１連結部材２１が上側の第１ストッパ５０に当接して上方移動が規制され、第１可動レール２０が固定レール１６よりもレール長の約半分上方へ突出する。
【００３５】
第２可動部材１２は、第２連結部材２６が上側の第２ストッパ５５に当接して第１可動部材１１に対する上方移動が規制され、第２可動レール２５が第１可動レール２０よりもレール長の約半分上方へ突出する。第３可動部材１３は、第３連結部材３２が上側の第３ストッパ６０に当接して第２可動部材１２に対する上方移動が規制され、第３可動部材１３の鉛直バー部３１が第２可動レール２５よりもレール長の約半分上方へ突出する。
【００３６】
図３〜図５に示すように、演出部材１４は、ベース部材１０及び複数の可動部材１１〜１３よりも前方位置に配設されて、複数の可動部材１１〜１３の左右全長よりも長い左右長を有する。演出部材１４は、固定演出部材１４ａと可動演出部材１４ｂとを有し、固定演出部材１４ａがベース部材１０又はセンタ枠体３ａに固定され、可動演出部材１４ｂが第３可動部材１３の演出取付部３０に固定されている。可動演出部材１４ｂ（演出部材１４）が待機位置のとき、可動演出部材１４ｂは固定演出部材１４ａと前後方向に大きくラップしており、可動演出部材１４ｂが上昇した際、その可動演出部材１４ｂにより複数の可動部材１１〜１３等は隠蔽される。
【００３７】
可動演出部材１４ｂは固定演出部材１４ａに上下動可能にガイドされ、そのガイド手段として、両演出部材１４ａ，１４ｂの左右両側部分において、夫々、可動演出部材１４ａから下方に延びて固定演出部材１４ｂの後側に位置するガイド板１４ｃが設けられ、そのガイド板１４ｃに上下方向に長いガイドスリット１４ｄが形成され、固定演出部材１４ｂから後方へ突出してガイドスリット１４ｄに摺動自在に係合するガイドピン１４ｅが設けられている。可動演出部材１４ｂについては、複数のＬＥＤを有する電飾機器を含む構成にすることができ、電力供給のために、ベース部材１０側と可動演出部材１４ｂとに、可撓性の有る帯状ハーネス１４ｆ（図４、図５参照）の両端側が連結されている。
【００３８】
移動駆動機構１５について説明する。
図４〜図１７等に示すように、移動駆動機構１５は、複数の可動部材１１〜１３に掛け渡すように装着された可撓性の有る線材６５（ワイヤ６５）と、電動モータ７１を有し且つこの電動モータ７１により駆動されて線材６５の巻取りと繰出しとが可能な巻取機構７０とを有し、この巻取機構７０により線材６５の巻取り・繰出しを行うことにより、この線材６５を介して複数の可動部材１１〜１３を互いに相対移動可能に構成されている。
【００３９】
巻取機構７０には、線材６５の基端部が連結された巻取プーリ７２が設けられている。この巻取プーリ７２は、ベース部材１０の取付部１０ｂとブラケット１０ｃとの間に配設され、前後方向の軸７２ａを介して回転自在にベース部材１０に装着されている。電動モータ７１はブラケット１０ｃにその後側から前向きに取付けられ、この電動モータ７１の出力軸７１ａに駆動ギヤ７３が取付けられ、この駆動ギヤ７３が巻取プーリ７２に取付けられた従動ギヤ７４に噛合している。電動モータ７１によりギヤ７３，７４を介して巻取プーリ７２が回転駆動されて、線材６５の巻取り・繰出しが行われる。
【００４０】
線材６５はピンと張られた状態で、巻取機構７０側から複数の可動部材１１〜１３に配列順に、つまり第１可動部材１１→第２可動部材１２→第３可動部材１３の順に掛け渡されている。そのために、移動駆動機構１５は、線材６５を案内する複数の滑車部材８０〜８４と線材６５の先端部を固定する線材固定部８５とを有する。
【００４１】
ベース部材１０に固定滑車部材８０（固定案内部）が設けられている。具体的に、固定滑車部材８０は固定レール１６よりも後方に位置し、固定レール１６の上端部に形成されたプーリ取付部１６ａに軸８０ａを介して回転自在に装着されている。第１可動部材１１に第１下滑車部材８１（下案内部）と第１上滑車部材８２（上案内部）が設けられ、第１下滑車部材８１の上方に固定滑車部材８０が位置する。具体的に、第１下滑車部材８１と第１上滑車部材８２は第１可動レール２０よりも後方に位置し、第１下滑車部材８１は第１可動レール２０に取付けられた第１連結部材２１に軸８１ａを介して回転自在に装着され、第１上滑車部材８２は第１可動レール２０の上端部に形成されたプーリ取付部２０ａに軸８２ａを介して回転自在に装着されている。
【００４２】
第２可動部材１２に第２下滑車部材８３（下案内部）と第２上滑車部材８４（上案内部）が設けられ、第２下滑車部材８３の上方に第１上滑車部材８２が位置する。具体的に、第２下滑車部材８３と第２上滑車部材８４は第２可動レール２５よりも後方に位置し、第２下滑車部材８３は第２可動レール２５に取付けられた第２連結部材２６に軸８３ａを介して回転自在に装着され、第２上滑車部材８４は第２可動レール２５の上端部に形成されたプーリ取付部２５ａに軸８４ａを介して回転自在に装着されている。第３可動部材１３に設けられた第３連結部材３２に線材固定部８５が設けられ、線材固定部８５は第２上滑車部材８４の下方に位置する。
【００４３】
そして、巻取機構７０により線材６５が巻取られる場合に各可動部材１１〜１３に進出方向（上昇方向）の動力が作用するように、また、巻取機構７０により線材６５が繰出される場合に各可動部材１１〜１３が自重により下降可能に、巻取機構７０から延びる線材６５が複数の滑車部材８０〜８４に、固定滑車部材８０→第１下滑車部材８１→第１上滑車部材８２→第２下滑車部材８３→第２上滑車部材８４の順に掛け渡され、且つ線材６５の先端部が線材固定部８５に固定されている。
【００４４】
各滑車部材８０〜８４から線材６５が外れるのを防止する線材外れ防止部材９０が、各滑車部材８０〜８４に付設されている。各線材外れ防止部材９０は、図１１、図１２に示すように、滑車部材８０〜８４の外周溝に係合する上下１対のローラ９１，９２を有し、これらローラ９１，９２が夫々軸９１ａ，９２ａを介して取付片９３に回動自在に装着され、この取付片９３がプーリ取付部１６ａ，２０ａ，２５ａや連結部材２１，２６，３２に取付けられている。尚、各線材外れ防止部材９０において、線材６５の外れ防止機能に殆ど寄与しない一方のローラ９１又は９２（例えば、固定滑車部材８０に付設されたものでは下側のローラ９２）については省略可能である。
【００４５】
尚、可動役物装置５の制御系には、原点検出センサ（図示略）が設けられ、この原点検出センサで検出された原点位置に基づいて電動モータ７１が制御される。例えば、原点検出センサは、ベース部材１０に取付けられて、可動演出部材１４ｂに設けられた遮蔽部（図示略）を検出可能な光学センサ（フォトインタラプタ）である。
【００４６】
次に、可動役物装置５の作用・効果について説明する。
可動役物装置５が非作動状態のとき、演出部材１４が画像表示器４による表示の邪魔にならない図１に示す待機位置に位置し、このとき、図１４に示すように、第１〜第３可動部材１１〜１３が夫々下側の第１〜第３ストッパ５１，５６，６１に係合して下限位置となり、巻取機構７０から線材６５が略最大限繰出された状態になる。
【００４７】
可動役物装置５が作動し、電動モータ７１により巻取プーリ７２が線材６５を巻取るように回転駆動されると、固定滑車部材８０から線材固定部８５に至る部分の線材６５の長さが短くなり、これにより、複数の可動部材１１〜１３が図１４に示す状態から基本的に次のように動作する。
【００４８】
先ず、図１４→図１５のように、第１，第２可動部材１１，１２が静止状態で、巻取機構７０で線材６５が巻取られた長さ分、線材６５により第３可動部材１３が引上げられる。第３可動部材１３が上昇し、第２可動部材１２の上側の第３ストッパ６０に係合すると、第３可動部材１３が第２可動部材１２に対して上昇不可能になる。
【００４９】
次に、図１５→図１６のように、第１可動部材１１が静止状態で、巻取機構７０で線材６５が巻取られた長さ分、線材６５により第２，第３可動部材１２，１３が一体的に引上げられる。第２可動部材１２が上昇し第１可動部材１１の上側の第２ストッパ５５に係合すると、第２可動部材１２が第３可動部材１３と共に第１可動部材１１に対して上昇不可能になる。
【００５０】
次に、図１６→図１７のように、巻取機構７０で線材６５が巻取られた長さ分、線材６５により第１〜第３可動部材１１〜１３が一体的に引上げられる。第１可動部材１１が上昇しベース部材１０の上側の第１ストッパ５０に係合すると、第１可動部材１１が第２，第３可動部材１２，１３と共にベース部材１０に対して上昇不可能になる。ここで、第１〜第３可動部材１１〜１３が上限位置となり、巻取機構７０に線材６５が最大限巻取られた状態になる。こうして、演出部材１４が図２に示す突出位置へ円滑に上昇する。
【００５１】
尚、前記のように、基本的には、第３可動部材１３→第２可動部材１２→第１可動部材１１の順に上昇移動を開始するが、相対移動する部材間の摩擦等の影響を受けて、必ずしも第１〜第３可動部材１１〜１３が上記動作になるとは限らない。但し、演出部材１４については、基本的に同じ動作で待機位置から突出位置へ上昇するため問題はない。
【００５２】
一方、前記とは逆に、可動役物装置５が作動し、電動モータ７１により巻取プーリ７２が線材６５を繰出すように回転駆動されると、固定滑車部材８０から線材固定部８５に至る部分の線材６５の長さが長くなり、これにより、複数の可動部材１１〜１３が図１７に示す状態から基本的に次のように動作する。
【００５３】
先ず、図１７→図１６のように、巻取機構７０で線材６５が繰出された長さ分、第１〜第３可動部材１１〜１３が自重により一体的に下降する。第１可動部材１１が下降しベース部材１０の下側の第１ストッパ５１に係合すると下降不可能になる。次に、図１６→図１５のように、巻取機構７０で線材６５が繰出された長さ分、第２，第３可動部材１２，１３が自重により一体的に下降する。第２可動部材１２が下降し第１可動部材１１の下側の第２ストッパ５６に係合すると下降不可能になる。
【００５４】
次に、図１５→図１４のように、巻取機構７０で線材６５が繰出された長さ分、第３可動部材１３が自重により下降する。第３可動部材１３が下降し第２可動部材１２の下側の第３ストッパ６１に係合すると下降不可能になる。ここで、第１〜第３可動部材１１〜１３が下限位置となる。こうして、演出部材１４が図１に示す待機位置へ円滑に下降する。
【００５５】
尚、前記のように、基本的には、第１可動部材１１→第２可動部材１２→第３可動部材１３の順に下降移動を終了するが、相対移動する部材間の摩擦等の影響を受けて、必ずしも第１〜第３可動部材１１〜１３が上記動作になるとは限らない。但し、演出部材１４については、基本的に同じ動作で突出位置から待機位置へ下降するため問題はない。
【００５６】
以上の複数の可動部材１１〜１３及び移動駆動機構１５の動作により、演出部材１４が、図１に示す待機位置から図２に示す突出位置へ、一気に上昇して、或いは何回か昇降してから到達する。そのことで何らかの報知を行った後、演出部材１４が図１に示す待機位置まで下降して、可動役物装置５が作動を終了する。
【００５７】
ところで、巻取プーリ７２から線材６５が略最大限繰出された状態では、巻取プーリ７２を任意の回転方向に回転させることで、巻取プーリ７２に線材６５が巻取られるように、線材６５の基端部が巻取プーリ７２に固着されている。このことを利用して、演出部材１４が下降し待機位置を経由して上昇する連続的な移動方向の切換えを、巻取プーリ７２を一方向へ回転させることで実現可能になる。
【００５８】
この可動役物装置５によれば次の効果を奏する。
移動駆動機構１５において、複数の可動部材１１〜１３に可撓性の有る線材６５を掛け渡すように装着し、電動モータ７１を有する巻取機構７０により線材６５の巻取り・繰出しを行うことにより、この線材６５を介して複数の可動部材１１〜１３を互いに相対移動可能に構成したので、１つの電動モータ７１を共通の駆動源として、複数の可動部材１１〜１３を連鎖的に伸縮させて、複数の可動部材１１〜１３の全体的な移動量（つまりは、第３可動部材１３の移動量）を大きくすることができる。
【００５９】
上記のように、１つの電動モータ７１を共通の駆動源として、複数の可動部材１１〜１３を伸縮させ得ることから、また、可動役物装置５の全体的な前後方向の厚みを小さくすることができ、線材６５や巻取プーリ７２や複数の滑車部材８０〜８４等も比較的コンパクトに設け得るため、複数の可動部材１１〜１３の全体的な移動量を大きくしても、複数の可動部材１１〜１３や移動駆動機構１５を大型化するのを抑制することができる。
【００６０】
しかも、通常時、つまり可動役物装置５の非作動時に、複数の可動部材１１〜１３、移動駆動機構１５（線材６５）を比較的コンパクトに纏めることができる。従って、近年、遊技盤２に装備される各種機器が高密度になる傾向であるが、遊技盤２に装備される他の各種機器の配置等を考慮しても、複数の可動部材１１〜１３の全体的な移動量を大きくして可動役物装置５を遊技盤２に装備する配置上の問題点は軽減される。
【００６１】
ここで、可動役物装置５は、演出部材１４を画像表示器２の前側（露出空間）で且つ直線的に移動させるものであり、通常時に演出部材１４を画像表示器２による表示の邪魔にならない位置に待機させるが、その際、演出部材１４以外の複数の可動部材１１〜１３や移動駆動機構１５（線材６５）が極力露出しないようにして、演出部材１４の露出空間への突出量（第３可動部材１３の移動量）を大きくするができる。依って、演出部材１４が作動した際のインパクトが大きくなり、演出効果が格段に高められる。
【００６２】
複数の可動部材１１〜１３を複数列に配設して、これら複数の可動部材１１〜１３の移動方向が平行になるように構成し、線材６５を巻取機構７０側から複数の可動部材１１〜１３に配列順に掛け渡したので、複数の可動部材１１〜１３を円滑に伸縮させることができ、しかも、可動役物装置５の非作動時に、複数の可動部材１１〜１３、移動駆動機構１５（線材６５）を比較的コンパクトに纏めることができる。
【００６３】
可動役物装置５は、第１可動部材１１をベース部材１０に移動自在にガイドする第１ガイド機構３５と、第２可動部材１２を第１可動部材１１にガイドする第２ガイド機構４０と、第３可動部材１３を第２可動部材１２にガイドする第３ガイド機構４５とを有するので、複数の可動部材１１〜１３の伸縮の際の円滑化と、可動役物装置５の非作動時におけるコンパクト化を確実に実現することができる。
【００６４】
可動役物装置５は、ベース部材１０に対して第１可動部材１１の所定移動範囲外の移動を規制する１対の第１ストッパ５０，５１と、第１可動部材１１に対して第２可動部材１２の所定移動範囲外の移動を規制する１対の第２ストッパ５５，５６と、第２可動部材１２に対して第３可動部材１３の所定移動範囲外の移動を規制する１対の第３ストッパ６０，６１とを有するので、複数の可動部材１１〜１３の夫々の移動を確実に実現して、演出部材１４を待機位置と突出位置とに亙って確実に移動させることができる。
【００６５】
移動駆動機構１５は、第１，第２可動部材１１，１２に夫々設けられた上滑車部材８２，８３及び下滑車部材８１，８３と、第１可動部材１１の下滑車部材８１よりも上方位置においてベース部材１０に設けられた固定滑車部材８０と、第２可動部材１２の上滑車部材８４よりも下方位置において第２可動部材１３に設けられた線材固定部８５とを有する。そして、巻取機構７０により線材６５が巻取られる場合に各可動部材１１〜１３に進出方向の動力が作用するように、また、巻取機構７０により線材６５が繰出される場合に各可動部材１１〜１３が自重により下降可能に、前記のように、線材６５を複数の滑車部材８０〜８４に掛け渡し且つ線材６５の先端部を線材固定部８５に固定したので、複数の可動部材１１〜１３を確実に連鎖的に伸縮させることができる。
【００６６】
各滑車部材８０〜８４から線材６５が外れるのを防止する線材外れ防止部材９０を、各滑車部材８０〜８４に付設したので、線材６５が滑車部材８０〜８４から外れることによる動作不良を防止すること、つまり、作動信頼性を確保することができる。
【００６７】
尚、前記実施例を部分的に次のように変更してもよい。
（１）図１８に示すように、可動役物装置５Ａは、２個の第１，第２可動部材１１Ａ，１２Ａを有し、これら可動部材１１Ａ，１２Ａを線材の巻取り・繰出しにより互いに相対移動可能に構成されている。前記実施例の第３可動部材１３を第２可動部材１２Ａとし、前記実施例の第２可動部材１２（又は第１可動部材１１）を省略して構成することできる。
【００６８】
（２）図１９に示すように、可動役物装置５Ｂは、４個の第１〜第４可動部材１１Ｂ〜１４Ｂを有し、これら可動部材１１Ｂ〜１４Ｂを線材の巻取り・繰出しにより互いに相対移動可能に構成されている。前記実施例の第３可動部材１３を第３可動部材１４Ｂとし、前記実施例において第２可動部材１２（又は第１可動部材１１）と同構造の可動部材を第３可動部材１３Ｂとして追加して構成することができる。尚、５個以上の可動部材を線材の巻取り・繰出しによりたがいに相対移動可能に構成することも勿論可能である。
【００６９】
（３）複数の滑車部材８０〜８４の代わりに、線材６５を単に引っ掛けて案内する複数の案内部を設けてもよい。
（４）複数の可動部材１１〜１３の少なくとも１つを下方へ付勢する復帰バネを設けてもよい。この復帰バネにより可動部材１１〜１３の自重による下降移動をサポートできるため、可動部材１１〜１３の特に下降移動する際の作動信頼性が高められる。
【００７０】
（５）前記実施例では、複数の可動部材１１〜１３を昇降するものであるが、複数の可動部材１１〜１３を他の移動方向となるように可動役物装置５を装備してもよい。例えば、複数の可動部材１１〜１３を左右方向に移動させるようにしてもよい。但し、この場合、前記のように、複数の可動部材１１〜１３を復帰させるバネが必要になる。
【００７１】
（６）複数の可動部材１１〜１３の移動方向を前記実施例のように平行とする以外に構成可能である。例えば、第１，第２可動部材については上下方向へ移動させるが、第３可動部材について他の方向（例えば、左右方向）へ移動させるように構成することもできる。
（７）その他、本発明の趣旨を逸脱しない範囲において、前記開示事項以外の種々の変更を付加して実施可能である。例えば、演出部材１４を画像表示器４の前側以外の空間において移動させるように構成することもできる。また、本発明の可動役物装置は、種々のパチンコ遊技機に適用することが可能である。
【符号の説明】
【００７２】
１  パチンコ遊技機
５，５Ａ，５Ｂ  可動役物装置
１０  ベース部材
１１  第１可動部材
１２  第２可動部材
１３  第３可動部材
１１Ａ，１２Ａ  可動部材
１１Ｂ，１２Ｂ，１３Ｂ，１４Ｂ  可動部材
１５  移動駆動機構
３５  第１ガイド機構
４０  第２ガイド機構
４５  第３ガイド機構
５０，５１  第１ストッパ
５５，５６  第２ストッパ
６０，６１  第３ストッパ
６５  線材
７０  巻取機構
７１  電動モータ
８０  固定滑車部材
８１  第１下滑車部材
８２  第１上滑車部材
８３  第２下滑車部材
８４  第２上滑車部材
８５  線材固定部
９０  線材外れ防止部材
【図１】
0005775729.tif 000002
【図２】
0005775729.tif 000003
【図３】
0005775729.tif 000004
【図４】
0005775729.tif 000005
【図５】
0005775729.tif 000006
【図６】
0005775729.tif 000007
【図７】
0005775729.tif 000008
【図８】
0005775729.tif 000009
【図９】
0005775729.tif 000010
【図１０】
0005775729.tif 000011
【図１１】
0005775729.tif 000012
【図１２】
0005775729.tif 000013
【図１３】
0005775729.tif 000014
【図１４】
0005775729.tif 000015
【図１５】
0005775729.tif 000016
【図１６】
0005775729.tif 000017
【図１７】
0005775729.tif 000018
【図１８】
0005775729.tif 000019
【図１９】
0005775729.tif 000020